(57)【要約】      （修正有）【課題】部品数を少なくして簡単に背環を背板に取付けてランドセルの軽量化を図る。【解決手段】背板１の中央上部に設けた取付孔２に、端部にピン孔９と係止頭部１０を有した軸部８を有した独立保持軸片７と、下端を連結して前記独立保持軸片７と同形に形成した複数の軸部８ａを有する連立保持軸片１６とを挿入し、左右対称位置に下方をばねで互いに中央方向に付勢させて左右方向に枢動可能に揺動アームを軸支し、前記背板１に設けた取付孔２と合致する位置にそれぞれ設けた軸孔２６内に喰込環部２８を形成し、上端中央に吊下環３７を取付けて形成した背環本体２１の前記軸孔２６に、前記独立保持軸片７と連立保持軸片１６の頭部１０を固定し、該背環本体の上面に取付けるカバー体４２の裏面に取付けた前記背環本体２１の軸孔２６と合致する位置に取付けた圧入ピン４５を、前記独立保持軸片７と連立保持軸片１６のピン孔９に圧入固着してある。【選択図】図４
2011110082.tif 000002
【特許請求の範囲】
【請求項１】
背環（２０）を取付けるための取付孔（２）を上部中央に複数設けた背板（１）と、
該取付孔に挿通する軸部（８）の先端面にピン孔（９）を穿ち、先端周面に係止頭部（１０）を形成し、基部に前記背板（１）の裏面に当接する保持鍔部（１３）を一体に形成した独立保持軸片（７）と、
軸部（８ａ）の先端面にそれぞれピン孔（９）を穿ち、先端周面に係止頭部（１０）を設け、後端に前記背板（１）の裏面に当接する保持鍔部（１７）を一体に形成した複数の軸部（８）の前記保持鍔部を連結片（１８）で連結した連立保持軸片（１６）と、
前記背板の取付孔（２）と合致する位置にそれぞれ軸孔（２６）を設け、該軸孔の内壁面に前記独立保持軸片（７）と連立保持軸片（１６）の係止頭部（１０）を嵌合する喰込環部（２８）をそれぞれ設けた背環本体（２１）と、前記背環本体の軸孔（２６）と合致する位置に、前記独立保持軸片（７）と連立保持軸片（１６）の先端面に設けたピン孔（９）をそれぞれ圧入させる圧入ピン（４５）を取付けたカバー体（４２）とからなり、
前記背板の取付孔（２）に裏面側から独立保持軸片（７）と連立保持軸片（１６）とをそれぞれ挿通して表面側に端部を突出させ、前記背環本体の軸孔（２６）内に設けた喰込環部（２８）と、各軸部（８，８ａ）の係止頭部（１０）とをそれぞれ嵌合固着し、該背環本体の表面側から前記カバー体の圧入ピン（４５）を前記独立保持軸片（７）および連立保持軸片（１６）の先端に設けたピン孔（９）にそれぞれ圧入固着してなることを特徴とするランドセル用背環。
【請求項２】
前記独立保持軸片の軸部（８）後端に設けた保持鍔部（１３）に、前記軸部（８）からやや離れた位置に回動防止用の補助軸（１４）を設けたことを特徴とする請求項１記載のランドセル用背環。
【請求項３】
前記背環本体（２１）は、前記背板の取付孔（２）と合致する位置にそれぞれ設けた軸孔（２８）の出口付近に前記カバー体の環状凸部（４４）が嵌合する嵌合凹部（２７）をそれぞれ設け、該嵌合凹部の内側に前記連立保持軸片（１６）の係止頭部（１０）がそれぞれ嵌合する喰込環部（２８）を形成し、該喰込環部の内周面に複数のスリット（２９）を設け、内部の左右対称位置の下方をばねで互いに中央方向に付勢させて左右方向に枢動可能に揺動アーム（２２）をアーム軸（２４）に軸支し、中央上端に係止板（３８）を挿入する取付溝部（３２）を設け、該取付溝部の中央に前記独立保持軸片（７）を挿通させる軸孔（３３）を設けてなることを特徴とする請求項１記載のランドセル用背環。
【請求項４】
前記吊下部（３６）は、金属棒の中央を略環状に折り曲げて形成した吊下環（３７）の基部を前記背環本体（２１）の上部中央に設けた取付溝部（３２）に挿通する係止板（３８）の上部中央に枢動可能に取付け、該係止板の中央に設けた軸孔（３９）内に、前記独立保持軸片（７）の係止頭部（１０）を嵌合させる複数のスリット（４１）を設けた弾発力を有する喰込環部（４０）を一体に形成したことを特徴とする請求項１記載のランドセル用背環。
【請求項５】
前記カバー体（４２）は、前記背環本体（２１）に取付ける嵌合部（４３）を裏面に形成し、前記背環本体（２１）の各軸孔（２６）、（３３）に設けた嵌合凹部（２７）と嵌合する環状の環状凸部（４４）をそれぞれ設け、該環状凸部の中央に前記独立保持軸片（７）と連立保持軸片（１６）の先端に設けたピン孔（９）と合致する圧入ピン（４５）を取付け、中央装飾部（４８）に皮革又は合成皮革からなる装飾板（４９）を前記カバー体４２と一体に形成したことを特徴とする請求項１記載のランドセル用背環。
【発明の詳細な説明】
【技術分野】
【０００１】
本発明は、ランドセルの背板に取付ける背負いベルトを連結するための背環に関するものである。
【背景技術】
【０００２】
従来、ランドセルを構成する背板は、表側の中央と周縁にクッション部を形成し、上方に平坦な背環取付地を設けて形成してある。一方、背環は、左右対称位置で下方をばねで互いに中央方向に付勢させて左右方向に枢動可能な揺動アームを軸支し、該揺動アームの上端を前記背環の上端から突出させた連結部に、対をなす背負いベルトの一端をそれぞれ連結する連結部を一体または別体に取付けて設けてある。
【０００３】
この背環を前記背板に固定する場合、ランドセルの全重量が背環に加わるため、該背環が背板から離脱するのを防止するため、複数の異なる金属製ビスやリベットを使用し、て同じく背板の背面側に取付けた金属製の固定板に固定したり、リベットの先端をかしめ止めしたりして取付けたものが知られている。
【先行技術文献】
【特許文献】
【０００４】
【特許文献１】特開２００２−５８５１６号
【特許文献２】実用新案登録第３１３５４０７号
【特許文献３】実用新案登録第３１４４０６６号
【０００５】
また、背板の表面上方に設けた背環を取付けるための取付地は、背板の表地と異なる皮革または合成皮革からなる保護生地でその表面を覆ってあり、背板の表地とは明らかに相違して違和感が生じている。
【０００６】
さらには、背環を背板に固定するための金属ねじやビスが背板の表面側から見えることから、ねじの頭部が表面側から隠すために金属製の化粧板などを前記背環の表面に取付けているため、ランドセルが重くなるという問題点を有している。
【０００７】
さらにまた、ランドセルは通常小学１年生から６年生までの６年間という長い期間使用すること、および学童はランドセルの取り扱いが乱暴であることなどから、背環自体や背環に取付けた金具部分などで怪我をするおそれがあるなどの問題点を有している。
【発明の概要】
【発明が解決しようとする課題】
【０００８】
本発明が解決しようとする課題は、背板の上部中央に設けた背環を取付けるための平坦部を小さくして背板のクッション部分を、該背板の上端部分まで広げることができるようにしたことにより、ランドセルを背負ったとき、頭が背環に当たることによる怪我を防止し、背環を背板に取付けるためのねじや装飾金具などの金属部品をなくしてランドセル全体の軽量化を図り、さらに、背環全体を合成樹脂材により形成して軽量化を図ると共に、背板への取付を簡単にし、背板の見た目をスッキリさせて違和感をなくすことを目的とするものである。
【課題を解決するための手段】
【０００９】
上記課題を達成するために本発明は、背環２０を取付けるための取付孔２を上部中央に複数設けた背板１と、該取付孔に挿通する軸部８の先端面にピン孔９を穿ち、先端周面に係止頭部１０を形成し、後端に前記背板１の裏面に当接する保持鍔部１３を一体に形成した独立保持軸片７と、同じく軸部８の先端面にそれぞれピン孔９を穿ち、先端周面に係止頭部１０を設け、後端に前記背板１の裏面に当接する保持鍔部１７を一体に形成した複数の軸部８、８の前記保持鍔部１７を互いに連結片１８で連結した連立保持軸片１６と、前記背板の取付孔２と合致する位置にそれぞれ軸孔２６を設け、該軸孔の内壁面に前記独立保持軸片７と連立保持軸片１６の係止頭部１０を嵌め殺し構造で嵌合する喰込環部２８をそれぞれ設けた背環本体２１と、前記背環本体の軸孔２６と合致する位置に、前記独立保持軸片７と連立保持軸片１６の先端面に設けたピン孔９をそれぞれ圧入させる圧入ピン４５を取付けたカバー体４２とからなり、前記背板１の取付孔２に裏面側から独立保持軸片７と連立保持軸片１６とをそれぞれ挿通して表面側に先端を突出させ、次いで、前記背環本体２１の軸孔２６内に設けた喰込環部２８と、各軸８の係止頭部１０とをそれぞれ嵌合固着し、該背環本体の表面側から前記カバー体の圧入ピン４５を前記独立保持軸片７および連立保持軸片１６の先端に設けたピン孔９にそれぞれ圧入固着して形成したことを特徴とする。また、前記独立保持軸片７の軸部８後端に設けた保持鍔部１３に、前記軸部８から離れた位置に回動防止用の補助軸１４を一体に設けたことを特徴とする。さらには、前記背環本体２１は、前記背板１の取付孔２と合致する位置にそれぞれ設けた軸孔２８の出口付近に前記カバー体４２の環状凸部４４が嵌合する嵌合凹部２７をそれぞれ設け、該嵌合凹部の内側に前記連立保持軸片１６の係止頭部１０がそれぞれ嵌合する喰込環部２８を形成し、該喰込環部の遠心方向に複数のスリット２９を設け、内部の左右対称位置で下方をばねで互いに中央方向に付勢させて左右方向に枢動可能に揺動アーム２２をアーム軸２４で軸支し、中央上端に係止板３８を挿入する取付溝部３２を設け、該取付溝部の中央に前記独立保持軸片７を挿通させる軸孔３３を設けてなることを特徴とする。さらにまた、前記吊下部３６は、金属線の中央を略環状に折り曲げて形成した吊下環３７の基部を前記背環本体２１の上部中央に設けた取付溝部３２に挿通する係止板３８の上部中央に枢動可能に取付け、該係止板の中央に設けた軸孔３９内に、前記独立保持軸片７の係止頭部１０が嵌合するスリット４１を設けた可撓性を有する喰込環部４０を一体に形成したことを特徴とする。また、前記カバー体４２は、前記背環本体２１に取付ける嵌合部４３を裏面に形成し、前記背環本体２１の各軸孔２６に設けた嵌合部２７と嵌合する環状の環状凸部４４をそれぞれ設け、該環状凸部の中央に前記独立保持軸片７と連立保持軸片１６の先端に設けたピン孔９と合致する圧入ピン４５を一体に設け、中央装飾部４８に皮革又は合成皮革からなる装飾板４９を前記カバー体４２と一体に形成したことを特徴とする。
【００１０】
したがって、背環２０を背板１に取付けるための各部品が、表面に露出して使用する金属部品を使用しないため軽量化が図れると共に、背板１への取付けもそれぞれの部品（背板本体、カバー体）を圧入するだけのワンタッチで簡単に取付けることができ、組立作業の向上を図ることができる。さらに、背板１の表面上部に装着する背環２０を取付けるスペースを小さくすることができるので、背板１の両端上方までクッション部５を形成することができ、ランドセルを背負ったとき背環２０が学童の頭に当たらないようにしたため安全性が向上する利点を有する。
【図面の簡単な説明】
【００１１】
【図１】本発明に係る背環を取付けた背板の一部省略した正面図である。
【図２】一部省略した背板の背面図である。
【図３】図１のＡ―Ａ線断面図である。
【図４】背環の分解断面図である。
【図５】独立保持軸片の正面図である。
【図６】連立保持軸片の正面図である。
【図７】図５のＢ―Ｂ線断面図である。
【図８】背環本体の正面図である。
【図９】図８のＣ―Ｃ線断面図である。
【図１０】図８のＤ―Ｄ線断面図である。
【図１１】吊下環の正面図である。
【図１２】図１１のＥ−Ｅ線断面図である。
【図１３】カバー体の裏面図である。
【図１４】図１３のＦーＦ線断面図である。
【図１５】保持軸片と背環本体とを嵌合固着させた断面図である。
【図１６】図１５の背環本体にカバー体を嵌合させた状態の断面図である。
【図１７】独立保持軸片片と吊下環とカバー体とをそれぞれ嵌合固着させた状態の拡大断面図である。
【発明を実施するための最良の形態】
【００１２】
本発明の実施の形態を図面に基づいて説明すると、図１は本発明に係る背環を取付けた背板の一部省略した正面図、図２は一部省略した背板の背面図、図３は図１のＡ―Ａ線断面図、図４は背環の分解断面図、図５は独立保持軸片片の正面図、図６は連立保持軸片の正面図、図７は図５のＢ―Ｂ線断面図、図８は背環本体の正面図、図９は図８のＣ―Ｃ線断面図、図１０は図８のＤ―Ｄ線断面図、図１１は吊下環の正面図、図１２は図１１のＥ−Ｅ線断面図、図１３はカバー体の裏面図、図１４は図１３のＦーＦ線断面図である。背環２０は、合成樹脂材により形成した背環本体２１と、該背環本体２１の中央上端に取付ける吊下環３７と、同じく前記背環本体２１の表面を被う合成樹脂材により形成したカバー体４２とからなり、同じく前記背環２０を背板１の裏面側から複数の独立保持軸片７と連立保持軸片１６とで固定して形成してある。
【００１３】
前記背板１は、不織布に合成樹脂材を含浸させて硬化したものや、ボール紙に合成樹脂材を含浸させて硬化したものなどからなり、たとえば、合成樹脂板などを用いて形成した芯板に、クッション機能を有してそれぞれ所定形状に形成した発泡合成樹脂材を芯材表面の左右両側、中央部、下部にそれぞれ装着して形成する各クッション部５の表面を天然皮革または合成皮革などからなる表地４で覆って形成し、前記背板１の上方中央に設けた平坦部６に、前記独立保持軸片７と連立保持軸片１６がそれぞれ挿通する取付孔２を設けてある。
【００１４】
前記独立保持軸片７と連立保持軸片１６は、図５、６、７に示すごとく、合成樹脂材により形成した軸部８の先端面にピン孔９を穿ち、該先端部分の周面に嵌め殺し構造を有する係止頭部１０をそれぞれ設けてある。この嵌め殺し構造は、それぞれ軸部と同径に形成した頭部の下側に軸心方向に対し直交面を形成し、該直交面１２に対し軸部８の挿入方向を傾斜させた傾斜面１１を一体に形成してある。
【００１５】
前記独立保持軸片７は、図７に示すごとく、軸部８の端部に直交させて配した板状の保持鍔部１３を一体に形成し、該保持鍔部には前記軸部８とやや離れて平行に回動防止用の短尺な補助軸１４を一体に設けてあり、前記背板１の中央上側の背面側に設けた補助孔３に挿入する。
【００１６】
前記連立保持軸片１６の軸部８ａは、前記独立保持軸片７の軸部８とほぼ同一に形成されているため、８ａの符号を記載してここでの説明を省略する。この連立保持軸片１６は、前記背板１の取付孔２の左右両側と中央下側に合致する位置に、各軸部８ａの端部に設けた板状の保持鍔部１７を連結板１８で連結して一体に形成してある。
【００１７】
前記背環本体２１は、図８、９、１０に示すごとく、内部の左右対称位置に下方をばねで互いに中央方向に付勢させ、上方を左右方向に枢動可能にアーム軸２４で軸支させた揺動アーム２２の上端を、前記背環本体２１の上端から上方に突出させた連結部２３を一体に形成してある。
【００１８】
背環本体２１の左右両端の前記背板１の取付孔２と合致する位置に、それぞれ軸孔２６を設け、該軸孔の出口側に前記独立保持軸片７または連立保持軸片１６の軸部８、８ａを係合する環状の嵌合凹溝２７と、前記連立保持軸片１６の係止頭部１０と嵌め殺し構造で嵌合する環状の喰込環部２８をそれぞれ一体に形成してある。
【００１９】
背環本体２１の中央上端面に、前記吊下環３７の係止板３８を挿入させる取付溝部３２を形成し、該取付溝部の中央裏側に前記独立保持軸片７が挿通する軸孔３３を設け、表面側にカバー体４２の裏面側に設けた嵌合凸部４４が嵌合する受孔３４を設けてある。
【００２０】
前記吊下部３６は、図１１、１２に示すごとく、金属棒の中央を略環状に折り曲げて下方を狭幅の並行に形成した下端をそれぞれ鉤形に折り曲げて形成した吊下環３７を、前記背環本体２１の上部中央に上部から着脱可能に挿通する係止板３８の上部に枢動可能に取付けて形成してある。前記係止板３８の上部中央に設けた軸孔３９の内部に、前記独立保持軸片７の係止頭部１０と嵌め殺し構造で嵌合する環状の喰込環部４０を一体に設けてある。
【００２１】
前記背環本体２１の軸孔２６内に設けた喰込環部２８と、吊下部３６の係止板３８の軸孔３９に設けた喰込環部４０は、それぞれ入口方向から出口方向（係止板３８の表面側から裏面側方向）に傾斜面を有して同心円状に形成し、該喰込環部の出口側（表面側）の遠心方向に一定間隔で複数のスリット２９、４１を設けることにより喰込環部２８、４０に弾発力と可撓性を持たせてある。
【００２２】
前記喰込環部２８、４０の内周面に沿って設けた複数のスリット２９、４１を設けたことにより、前記軸孔２６、３９内に該背環本体の裏面側から圧入した保持軸片７、１６の係止頭部１０は喰込環部２８の傾斜面に当接し、その押圧力で喰込環部２８、４０を周方向に押し広げて係止頭部１０が喰込環部２８、４０を通過すると、該喰込環部の弾発力によって軸部８の傾斜面１１に嵌合して係止する。
【００２３】
軸孔２６、３９内の喰込環部２８、４０に、前記保持軸片７，１６の係止頭部１０がそれぞれ嵌合係止されると、該保持軸片７、１６の端部（即ち、裏面側）に設けた保持鍔部１３、１７が背板１の裏面と当接して前進できず、且つ、保持軸片７、１６の係止頭部１０の下面に設けた直交面１２に喰込環部２８、４０の先端が当たって嵌め殺し状態に嵌合係止される。
【００２４】
前記カバー体４２は、図１３、１４に示すごとく、合成樹脂材からなり、裏面側の内部に前記背環本体２１が嵌合する嵌合部４３を形成し、前記背環本体２１の各軸孔２６内に設けた嵌合凹部２７と合致する環状凸部４４をそれぞれ設けると共に、該環状凸部の中央に前記保持軸片７、１６のピン孔９内に圧入する圧入ピン４５の軸部４６を樹立させてある。
【００２５】
このカバー体４２は、表面中央に設けた装飾部４８に皮革又は合成皮革からなる装飾板４９を一体に形成してある。５２は、スポンジ片で、前記カバー体４２を背環本体２１に取付けたとき、カバー体４２の中央に設けた装飾板４９の裏面に介在させて装飾板４９にボリューム感を持たせるものである。
【００２６】
前記圧入ピン４５の長さは、前記ピン孔９の長さと略同じ長さまたは略短く形成し、また、該圧入ピンの軸方向周面には一定または任意間隔ごとに同心円状で多段に形成した食込刃４７は、軸部４６の前進方向に対して傾斜面を有し、後退方向には直交面を形成してあり、ピン孔９内に圧入後は、後退できない作用を有している。さらに、この圧入ピン４５の基部に設けたやや大径の頭部と、前記装飾部４８に取付けた装飾板４９は、カバー板４２を形成する部材内に一体に埋め込んで形成してある。
【００２７】
各保持軸片７、１６のピン孔９に圧入した各圧入ピン４５に引き抜き方向の力が作用した場合、圧入ピン４５の直径が、例えば１ｍｍで、ピンの頭部の直径が５ｍｍとして４本のピンを用いて背環と連結させた場合には、約３０ｋｇの力に耐えることができる。したがって、ピンの直径を２〜３ｍｍと太くすることにより７０〜１００ｋｇの力に耐えることが可能となるため、前記背環本体２１にカバー板４２を圧着固定させることにより、背板１から背環２０が離脱するのを防止することができる。
【００２８】
以下、本発明の実施形態における背環２０を背板１に取付る方法を図４に基づいて説明すると、第１工程は、背板１の上部中央に設けた取付孔２内に、該背板の裏面側から独立保持軸片７と連立保持軸片１６の軸部８、８ａをそれぞれ挿入する。
【００２９】
この独立保持軸片７と連立保持軸片１６の基部に設けた保持鍔部１３はそれぞれ背板１の裏面に当接して係止する。この場合、独立保持軸片７の保持鍔部１３の下側に設けた補助軸１４は、背板の補助孔３に嵌合して独立保持軸片７の回転防止と、保持鍔部１３と背板１とを広く接触させることにより、独立保持軸片７が嵌合する吊下環３７に加わる引張力に対抗することができる。
【００３０】
第２工程は、揺動アーム２２、２２を収容した背環本体２１の中央上端に設けた取付溝部３２に係止板３８を上部から収容し、該係止板の軸孔３９と背環本体２１の軸孔３３と孔３４とを同一軸心上に位置する。
【００３１】
ついで第３工程は、図１５に示すごとく、背板１の取付孔２に裏面側から挿通した前記独立保持軸片７の軸部８を、背環本体２１の係止版３８の軸孔３９に合致させ、連立保持軸片１６の軸部８ａと、背環本体２１の軸孔２６とを合致させて圧着してある。
【００３２】
前記喰込環部２８、４０は、それぞれ周面部分に複数のスリット２９、４１を設けてあるため、前記軸孔２６、３９内に圧入した軸部８，８ａの押圧力で喰込環部２８、４０を周方向に押し広げて保持軸片７、１６の先端に位置する係止頭部１０が喰込環部２８、４０を通過すると、該喰込環部２８、４０は弾発力によって元の状態に復帰して係止頭部１０の傾斜面１１に嵌合する。
【００３３】
軸孔２６、３９内の喰込環部２８、４０にそれぞれ係止された保持軸片７、１６は、該保持軸片の下端に設けた保持鍔部１３が背板１の裏面と当接して前進を停止し、保持軸片７、１６の係止頭部１０の下面に設けた直交面１２に喰込環部２８、４０の先端が当たって後退することができず、いわゆる嵌め殺しに係合させることができる。
【００３４】
第４工程は、図１６に示すごとく、カバー体４２に取付けた複数の圧入ピン４５を、前記保持軸片７、１６のピン孔９に合致させて背環本体２１にカバー体４２を圧着させる。各圧入ピン４５の先端が各ピン孔９内に圧入しながら喰い込み、カバー体４２を背環本体２１の表面側の端面に固着させると同時に、環状凸部４４が軸孔２６の周縁部に設けた嵌合凹部２７に嵌合して固定する。したがって、カバー体４２がガタつかず背環本体２１に確実に嵌合させることができる。
【００３５】
前記圧入ピン４５は、軸部４６の外周面に多段に形成した喰込刃４７を前記ピン孔９より一回り大きく形成してあるためピン孔１６内に圧入すると、ピン孔９の内壁面に喰い込みながら圧入するが、引き抜き方向の力が作用すると該食込刃が内壁面に喰い込んで二度と引き抜くことはできない。
【００３６】
この圧入ピン４５による固着は、従来のごとく、複数のリベットを一つづつ打ち込むのではなく、前記のごとく、カバー体４２を背環本体２１の表面側から押圧して圧着するだけのワンタッチで簡単に背板１に固着して背環１０を組み立てて形成することができるので、作業工程を省略して能率化を図ることができる。
【００３７】
背環２０の背板１への取付は、前記保持軸片７、１６を背環本体２１の喰込環部２８、４０に固着し、カバー体４２の圧入ピン４５を保持軸片７、１６のピン孔に圧入して二重に連結したことにより強固に固着することができるため、背環２０が背板１からの脱落を防止することができる。また、カバー体４２の取付作業に多数の取付部品などを必要としないため部品の組立作業性を一段と向上させることができる。
【産業上の利用可能性】
【００３８】
背環２０を背板１に取付ける組立作業において、ねじやリベットなど表面に露出して使用する金属部品を使用することなくワンタッチで簡単に背環２０の形成と、背板１への取付けができ、また、リベットなどの頭部を隠す装飾板の取付けが不要であるため部品数を少なくできるためコストダウンが図れて経済的であると共にランドセル全体の軽量化を図ることができる。
【符号の説明】
【００３９】
１    背板
２    取付孔
７    独立保持軸片
８    軸部
９    ピン孔
１０  係止頭部
１１  斜面部
１３  保持鍔部
１６  連立保持軸片
１７  保持鍔部
２０  背環
２１  背環本体
２２  揺動アーム
２３  連結部
２６  軸孔
２７  嵌合凹部
２８  喰込環部
２９  スリット
３２  取付溝部
３３  軸孔
３６  吊下部
３７  吊下環
３８  係止板
３９  軸孔
４０  喰込環部
４２  カバー体
４３  嵌合部
４４  環状凸部
４５  圧入ピン
４６  軸部
４７  喰込刃
４８  装飾部
４９  装飾板
【図１】
2011110082.tif 000003
【図２】
2011110082.tif 000004
【図３】
2011110082.tif 000005
【図４】
2011110082.tif 000006
【図５】
2011110082.tif 000007
【図６】
2011110082.tif 000008
【図７】
2011110082.tif 000009
【図８】
2011110082.tif 000010
【図９】
2011110082.tif 000011
【図１０】
2011110082.tif 000012
【図１１】
2011110082.tif 000013
【図１２】
2011110082.tif 000014
【図１３】
2011110082.tif 000015
【図１４】
2011110082.tif 000016
【図１５】
2011110082.tif 000017
【図１６】
2011110082.tif 000018
【図１７】
2011110082.tif 000019